(57)【要約】【課題】強風などで網戸に力がかかっても、網戸がレール部からはずれることを防止できる建具の提供。【解決手段】レール部１２Ｂに形成された突起１２Ｃと、レール部１２Ｂを跨ぎ見込み方向の室外側に突出した凸部３４および凸部３４と対向する傾斜面３５２Ｃを有する開口部３１Ｂと、外れ止めセット位置および外れ止め解除位置に移動可能で外れ止めセット位置で凸部３４と対向する対向面３５２Ｄを有する外れ止め用係止片部３５２と、外れ止め用係止片部３５２を移動操作する操作部とを備え、外れ止め解除位置で、傾斜面３５２Ｃと凸部３４とで形成された挿通口３１Ａを通じて開口部３１Ｂにレール部１２Ｂを挿入可能であり、外れ止めセット位置で、挿通口３１Ａを通じて開口部３１Ｂにレール部１２Ｂを挿入したままレール部１２Ｂを挟む。凸部３４と対向面３５２Ｄとの離間幅は突起１２Ｃの見込み幅を含めたレール部１２Ｂの見込み幅より短い。【選択図】図１０
2014177753.tif 000002
【特許請求の範囲】
【請求項１】
レール部を有した枠体と、前記枠体に摺動自在な網戸と、前記網戸が前記枠体から外れないようにするための外れ止め機構とを備えた建具であって、
前記外れ止め機構は、前記網戸に設けられ、
前記レール部に形成され、見込み方向の一方側に突出した突起と、
前記レール部を跨ぎ、見込み方向の他方側に突出した凸部と前記凸部と対向する第１辺とを有した開口部と、
外れ止めセット位置および外れ止め解除位置に移動可能で、前記外れ止めセット位置において前記凸部と対向する第２辺を有した外れ止め用係止片部と、
前記外れ止め用係止片部を、前記外れ止めセット位置および外れ止め解除位置へと移動操作する操作部と、を備え、
前記外れ止め用係止片部の前記外れ止め解除位置において、前記凸部と前記第１辺とで形成された挿通口を通じて、前記開口部に前記レール部を挿入可能とし、
前記外れ止め用係止片部の外れ止めセット位置において、前記挿通口を通じて前記開口部に前記レール部を挿入したまま、前記突起の見込み幅を含めた前記レール部の見込み幅より短い離間幅を有した前記凸部と前記第２辺との間で、前記レール部を挟む建具。
【請求項２】
前記外れ止め用係止片部は、前記外れ止めセット位置および前記外れ止め解除位置に進退自在とされ、
前記外れ止め用係止片部には、前記外れ止め用係止片部の後退方向に向かうに従って前記見込み方向の一方側の幅寸法が大きくなるように傾斜された傾斜面が形成されている請求項１に記載の建具。
【請求項３】
前記網戸は、前記外れ止め用係止片部が前記外れ止め解除位置にあることを視認する視認部を備えた請求項１または請求項２に記載の建具。
【請求項４】
前記視認部は、前記操作部に設けられた表示部と、前記網戸に形成され前記表示部を表示する表示窓とを備えた請求項３に記載の建具。
【請求項５】
前記外れ止め用係止片部には取付部が設けられ、この取付部には前記レール部に案内される戸車が回転自在に設けられている請求項１ないし請求項４のいずれか１項に記載の建具。
【発明の詳細な説明】
【技術分野】
【０００１】
本発明は、枠体のレール部に摺動自在に網戸が案内され、この網戸のレール部からの外れ止めがされる建具に関する。
【背景技術】
【０００２】
住宅などでは、上下の網戸用框が枠体に設けられたレール部に案内されて摺動可能とされた網戸が利用されている。
この網戸には、強風などで浮き上がってレール部から外れることを防止するための外れ止め機構が設けられるものがある。
【０００３】
網戸の外れ止め機構の従来例には、網戸の下框に下外れ止め片を上下動自在に設け、網戸の上框に上外れ止め片を上下動自在に設け、これらの外れ止め片に上框あるいは下框の室内側壁面に密着する締付面と、網戸レールとなる突出片に当接する段部と、段部より締付面側に上方あるいは下方に向けて一体形成した楔状のロック片とを備えたものがある（特許文献１）。
この特許文献１の従来例では、外れ止め片を上または下に移動させることで、楔状のロック片を室内側壁面と突出片との間に押し込んで締付面を室内側壁面に密着締付する。
【０００４】
網戸の外れ止め機構の異なる従来例には、網戸の下框に取り付けられた外れ止め部品と、下枠に設けられた外れ止め部とを備え、この外れ止め部品は、下框の見込み方向室内側側面に取り付けたかかり部品と、このかかり部品と下框の見込み方向室内側面との間の隙間でロック位置とロック解除位置とにわたって手動により面内方向に移動自在に設けた操作部品とを備えたものがある（特許文献２）。
この特許文献２の従来例では、かかり部品は、見込み方向室内側面よりも室内側に突出した係止部を有し、操作部品がロック位置にある場合に係止部が下枠の外れ止め部に係合とされ、ロック解除位置にある場合に係止部が弾性変形して網戸が下枠から取り外し可能とされる。
【先行技術文献】
【特許文献】
【０００５】
【特許文献１】実公昭６１−２２１５６号公報
【特許文献２】特開２０１２−７２５９７号公報
【発明の概要】
【発明が解決しようとする課題】
【０００６】
特許文献１の従来例では、外れ止め片のロック片が室内側壁面と突出片との間に押し込まれて網戸が突出片に取り付けられることになっており、ロック片が楔状であるため、強風などによって網戸が撓んで突出片から離れる方向に力が働くと、ロック片が突出片から離れて網戸が外れるおそれがある。
特許文献２の従来例では、ロック状態では、かかり部品の係止部と下枠の外れ止め部とが係合可能となっているが、強風などによって網戸の室内外の方向の力が働くと、係止部が下枠の外れ止め部から外れるおそれがある。
【０００７】
本発明の目的は、強風などで網戸に力がかかっても、網戸がレール部からはずれることを防止できる建具を提供することにある。
【課題を解決するための手段】
【０００８】
本発明の建具は、レール部を有した枠体と、前記枠体に摺動自在な網戸と、前記網戸が前記枠体から外れないようにするための外れ止め機構とを備えた建具であって、前記外れ止め機構は、前記網戸に設けられ、前記レール部に形成され、見込み方向の一方側に突出した突起と、前記レール部を跨ぎ、見込み方向の他方側に突出した凸部と前記凸部と対向する第１辺とを有した開口部と、外れ止めセット位置および外れ止め解除位置に移動可能で、前記外れ止めセット位置において前記凸部と対向する第２辺を有した外れ止め用係止片部と、前記外れ止め用係止片部を、前記外れ止めセット位置および外れ止め解除位置へと移動操作する操作部と、を備え、前記外れ止め用係止片部の前記外れ止め解除位置において、前記凸部と前記第１辺とで形成された挿通口を通じて、前記開口部に前記レール部を挿入可能とし、前記外れ止め用係止片部の外れ止めセット位置において、前記挿通口を通じて前記開口部に前記レール部を挿入したまま、前記突起の見込み幅を含めた前記レール部の見込み幅より短い離間幅を有した前記凸部と前記第２辺との間で、前記レール部を挟むことを特徴とする。
【０００９】
この構成の建具では、網戸を枠体に装着するため、予め、操作部によって外れ止め用係止片部を外れ止め解除位置にしておき、さらに、凸部が突起を超えるまで挿通口からレール部を開口部に挿入し、網戸を枠体に対して正しい位置にセットする。その後、操作部によって外れ止め用係止片部を外れ止めセット位置まで移動させ、外れ止め用係止片部の第２辺と凸部とでレール部を挟み込む。この状態では、挿通口を通じて開口部にレール部を挿入したまま、突起の見込み幅より短い離間幅を有する凸部と第２辺とでレール部を挟むので、網戸にレール部から離れる向きに力がかかっても、凸部と突起とが係合された状態となる。
そのため、網戸を枠体に装着する際には、外れ止め用係止片部や凸部が邪魔にならず、網戸をレール部に装着した状態では、レール部を外れ止め用係止片部と網戸の網戸用框の凸部とで挟み込むので、強風などで、網戸に力がはたらいても、網戸がレール部から外れにくくなる。
【００１０】
本発明の建具では、前記外れ止め用係止片部は、前記外れ止めセット位置および前記外れ止め解除位置に進退自在とされ、前記外れ止め用係止片部には、前記外れ止め用係止片部の後退方向に向かうに従って前記見込み方向の一方側の幅寸法が大きくなるように傾斜された傾斜面が形成されている構成が好ましい。
【００１１】
この構成では、外れ止め用係止片部に傾斜面が形成されることにより、網戸を枠体にセットする際に、枠体のレール部が外れ止め用係止片部に干渉しにくくなる。
【００１２】
本発明の建具では、前記網戸は、前記外れ止め用係止片部が前記外れ止め解除位置にあることを視認する視認部を備えた構成が好ましい。
【００１３】
この構成では、外れ止め用係止片部が外れ止め解除位置にあることが視認部を通じて認識することができるので、網戸のレール部へ設置する際に、外れ止めセット作業を忘れることを防止できる。
【００１４】
本発明の建具では、前記視認部は、前記操作部に設けられた表示部と、前記網戸に形成され前記表示部を表示する表示窓とを備えた構成が好ましい。
【００１５】
この構成では、操作部の進退操作に伴って、網戸の表示窓を通じて表示部の視認の可否を容易に行うことができるので、外れ止めセット作業の失念を効率的に防止できる。
【００１６】
本発明の建具では、前記外れ止め用係止片部には取付部が設けられ、この取付部には前記レール部に案内される戸車が回転自在に設けられている構成が好ましい。
【００１７】
この構成では、取付部に伴って戸車が移動するので、取付部が後退して外れ止め用係止片部が外れ止め解除位置にある際に、戸車も後退する。この状態では、戸車がレール部から離反しているので、網戸をレール部に対して摺動させると、網戸が重く感じるので、外れ止め作業を忘れることを防止できる。
【発明の効果】
【００１８】
網戸に強風などによって力がかかっても、網戸がレール部からはずれることを防止できる。
【図面の簡単な説明】
【００１９】
【図１】本発明の第一実施形態にかかる建具を室内側から見た正面図。
【図２】建具を示す縦断面図。
【図３】建具を示す横断面図。
【図４】外れ止め用係止片部が外れ止め解除位置にある外れ止め機構を示す正面図。
【図５】外れ止め用係止片部が外れ止めセット位置にある外れ止め機構を示す正面図。
【図６】外れ止め用係止片部が外れ止めセット位置にある外れ止め機構を示す斜視図。
【図７】外れ止め機構の分解斜視図。
【図８】外れ止め用係止片部が外れ止めセット位置にある外れ止め機構の内部構造を示す正面図。
【図９】外れ止め用係止片部が外れ止め解除位置にある外れ止め機構の内部構造を示す正面図。
【図１０】外れ止め用係止片部が外れ止め解除位置にある外れ止め機構の要部側面図。
【図１１】外れ止め用係止片部が外れ止めセット位置にある外れ止め機構の要部側面図。
【図１２】本発明の第二実施形態にかかる外れ止め機構を室内側から見た分解斜視図。
【図１３】外れ止め機構を室内側から見た正面図。
【図１４】外れ止め機構の側面図。
【図１５】本発明の第三実施形態にかかる外れ止め機構を室内側から見た分解斜視図。
【図１６】外れ止め機構を室内側から見た正面図。
【図１７】外れ止め機構の側面図。
【発明を実施するための形態】
【００２０】
［第一実施形態］
以下、本発明の実施形態を図面に基づいて説明する。ここで、各実施形態の説明において、同一構成要素は同一符号を付して説明を省略する。
図１から図４に示される通り、本発明の第一実施形態に係る建具は、戸建て住宅等の建物の外壁開口部に設けられて建物の室内空間と室外空間とを仕切る引違い窓１０であり、気密性や水密性、遮音性等について所定の性能を有している。
【００２１】
［全体構成］
引違い窓１０は、上枠１１、下枠１２、および左右の縦枠１３を四周枠組みした枠体１４と、この枠体１４に摺動自在に支持された室内外一組の障子１５と、一組の障子１５の室外側で枠体１４に摺動自在に支持された網戸２０とを備えて構成されている。枠体１４は、建物の外壁開口部を構成する柱や壁パネル等の建物躯体に固定されている。
上枠１１は、障子１５の上部を案内する障子用上レール１１Ａと、網戸２０の上部を案内する網戸用上レール１１Ｂとを有する。
下枠１２は、障子１５の下部を案内する障子用下レール１２Ａと、網戸２０の下部を案内するレール部１２Ｂとを有する。レール部１２Ｂの上端側には、見込み方向の一方側（室内側）に先端が突出した突起１２Ｃが形成されている。
障子１５は、上框１６、下框１７、および左右の縦框１８を四周框組みした内部に、ガラスパネル１９を嵌め込んで構成されている。障子１５の下框１７には障子用下レール１２Ａに案内される戸車１７０が設けられている。
【００２２】
［網戸の概略］
網戸２０は、四周枠組みされた網戸用框２１と、この網戸用框２１に固定されたネット２２と、第一実施形態の要部である外れ止め機構３０を有する。第一実施形態では、外れ止め機構３０は戸車装置である。
網戸用框２１は、網戸用上框２１１、網戸用下框２１２、および左右の網戸用縦框２１３を四周枠組みした構造であり、網戸用上框２１１は、網戸用上レール１１Ｂに案内される凹部２１１０を有する。
網戸用下框２１２は、レール部１２Ｂに摺動自在に案内されるものであって、レール部１２Ｂを挟んで互いに対向配置された一対の板部２１２０を有する。
外れ止め機構３０は、網戸用下框２１２の左右両端側にそれぞれ設けられている。
【００２３】
［外れ止め機構］
図４から図７において、外れ止め機構３０は、網戸２０の枠体１４からの脱落を防止するためのものであり、レール部１２Ｂの突起１２Ｃと、網戸用下框２１２の一対の板部２１２０の間に設けられたケース３１と、このケース３１の内部に上下動自在に設けられた戸車機構３２と、ケース３１に対してレール部１２Ｂの長手方向に沿って移動自在に設けられたガイド３３と、を有する。
図７、図１０および図１１において、ケース３１は、互いに所定間隔離れて配置された壁部３１１Ａを有するケース本体３１１と、このケース本体３１１の端部に設けられた矩形板状の端板部３１２とを備えている。
【００２４】
端板部３１２の下端側は、レール部１２Ｂの上端側を跨ぐＵ字状の切欠き３１０を有する。切欠き３１０の下端に形成された両開口端Ｐ，Ｑのうち室内側の一方の開口端Ｐには切欠き３１０を形成する１つの辺から見込み方向の他方側（室外側）に突出して凸部３４が形成されている。
この凸部３４は、レール部１２Ｂの突起１２Ｃと係合可能とされる。凸部３４は、切欠き３１０の両開口端Ｐ，Ｑのうち室外側の他方の開口端Ｑよりも低い位置に形成されている。
本実施形態では、ケース本体３１１の２枚の壁部３１１Ａの間に形成された空間にレール部を跨ぐ開口部が連続しており、端板部３１２とは反対側の端部の下部にも、レール部１２Ｂの突起１２Ｃと係合可能する凸部（図示せず）が、凸部３４と同じ高さ位置に形成されている。そのため、ケース本体３１１の他端部に凸部を設ければ、この凸部と端板部３１２に設けられた凸部３４との２箇所で、レール部１２Ｂの突起１２Ｃを確実に係合することが可能となる。
図７に示される通り、戸車機構３２は、２枚の壁部３１１Ａの間の空間に配置された外枠３５と、この外枠３５の内部に設けられる内枠３６と、この内枠３６に設けられた戸車３７とを備えている。
外枠３５は、ガイド３３に支持され、２枚の壁部３１１Ａの間の空間内で上下動自在に設けられた取付部３５１と、この取付部３５１の下端部に一体に形成された外れ止め用係止片部３５２とを有する。
取付部３５１は、２枚の板状部３５３，３５４と、これらの板状部３５３，３５４の一端部同士を連結する連結部３５５とを有する。
板状部３５３の下端部には外れ止め用係止片部３５２が一体に形成されている。板状部３５４には内枠３６が回動自在に支持されている。
【００２５】
［外れ止め用係止片部］
外れ止め用係止片部３５２は、板状部３５３のレール部１２Ｂの長手方向に沿った両端側にそれぞれ設けられた支持部３５２Ａと、この支持部３５２Ａの下端部同士を接続する係止片部本体３５２Ｂとを有する。支持部３５２Ａと係止片部本体３５２Ｂとで囲われた空間Ｓは後述するベース部３６１が収納されるスペースとされる。なお、本実施形態では、空間Ｓがない構成としてもよいが、ベース部３６１が収納される空間Ｓを設けることで、外れ止め用係止片部３５２の見込み方向の寸法を小さくすることができ、見込み方向寸法の小さな網戸用下框２１２に外れ止め機構を適用することができる。
外れ止め用係止片部３５２は、ガイド３３を操作することで、取付部３５１が上下動し、下方位置である外れ止めセット位置（図１１で示す）および上方位置であるレール部１２Ｂから離反される外れ止め解除位置（図１０で示す）へと移動可能とされ、外枠３５はケース３１内を進退可能とされている。
【００２６】
［開口部および挿通口］
図１０および図１１に示される通り、係止片部本体３５２Ｂには、外れ止め用係止片部３５２の後退方向（上方）に向かうに従って見込み方向の一方側の幅寸法が大きくなるよう傾斜された傾斜面３５２Ｃが形成されている。外れ止め用係止片部３５２には、傾斜面３５２Ｃと連続して外れ止めセット位置において凸部３４と対向する対向面３５２Ｄが形成されている。ここで、第一実施形態では、傾斜面３５２Ｃは、凸部３４と対向する第１辺を形成するものであり、外れ止め用係止片部３５２が外れ止め解除位置にある場合において、第１辺である傾斜面３５２Ｃと凸部３４とで挿通口３１Ａが形成され、傾斜面３５２Ｃ、凸部３４およびＵ字状の切欠き３１０の底面側の空間から開口部３１Ｂが形成される。開口部３１Ｂはレール部１２Ｂを跨ぐように形成されている。さらに、対向面３５２Ｄは、外れ止め用係止片部３５２の外れ止めセット位置において、凸部３４と対向する第２辺を形成するものであり、この第２辺である対向面３５２Ｄと凸部３４とでレール部１２Ｂの突起１２Ｃより下方部分の見付け面を挟む。
【００２７】
外れ止め用係止片部３５２が外れ止め解除位置にある場合に、凸部３４の見込み方向の他方側（室外側）端部と傾斜面３５２Ｃの下端Ｒとの間の離間幅寸法、つまり、挿通口３１Ａの見込み幅寸法をＡとし、突起１２Ｃの見込み幅寸法を含めたレール部の見込み幅寸法をＢとし、外れ止め用係止片部３５２が外れ止めセット位置にある場合に、凸部３４と第２辺である対向面３５２Ｄとの離間幅寸法をＣとすると、Ａ＞Ｂ、かつ、Ｂ＞Ｃの関係がある。突起１２Ｃの見込み幅寸法を含めたレール部の見込み幅寸法Ｂとは、レール部１２Ｂの見付け面から突出している突起１２Ｃの幅寸法に、突起１２Ｃが形成されるレール部自体の見込み方向寸法を加えた寸法である。
なお、外れ止め用係止片部３５２が外れ止めセット位置にある場合、外れ止め用係止片部３５２と凸部３４とでレール部１２Ｂを挟み込む状態となるが、この状態では、レール部１２Ｂと外れ止め用係止片部３５２との間ならびにレール部１２Ｂと凸部３４との間に隙間が残るので、網戸２０のレール部１２Ｂ上での摺動が許容される。
【００２８】
［戸車機構の内部構造］
図７において、内枠３６は、ベース部３６１と、このベース部３６１に設けられ戸車３７を回転自在に支持する支持部３６２と、ベース部３６１の端部に設けられた回動軸部３６３と、この回動軸部３６３に近接配置された調整用立面部３６４とを有する。
回動軸部３６３は、その両端部（図７では一端部のみ示す）が取付部３５１の板状部３５３，３５４に形成された孔部３５Ａ（図７では板状部３５４に形成された孔部のみ示す）に回動自在に支持されている。
調整用立面部３６４は、端板部３１２に形成された調整用孔部３１２Ａに挿通された図示しないピンで押圧されることで、内枠３６に設けられた戸車３７が回動軸部３６３を中心として回動し、戸車３７の外枠３５に対する位置を微調整するものである。
戸車３７は、支持部３６２に回動自在に設けられる車輪部３７１と、この車輪部３７１を支持部３６２に取付けるピン３７２とを有する。なお、戸車３７は、図１０および図１１に示される通り、レール部１２Ｂに載置された状態（外れ止めセット時）において、突起１２Ｃに対応するように、屋外側のみ垂下して、レール部１２Ｂに係合するように形成されていることが好ましい。
【００２９】
［操作部］
ガイド３３は、外れ止め用係止片部３５２を、外れ止めセット位置および外れ止め解除位置へと進退操作する操作部３３１と、この操作部３３１に設けられた摘み部３３２と、操作部３３１に設けられた表示部３３３とを有するものであり、レール部１２Ｂの長手方向に沿って進退自在にケース３１に設けられている（図５，６参照）。
操作部３３１は、摘み部３３２がガイド３３の端部に設けられた平面矩形状の板状部材３３１Ａと、この板状部材３３１Ａの他端部に図示しないブロック体を介して設けられた係合部３３１Ｂとを有する。ブロック体には、ケース３１を構成する２つの壁部３１１Ａのうち一方に形成されたガイド片部３１１０に案内される案内溝（図示せず）が形成されている。そのため、ガイド３３は、ケース３１のガイド片部３３１０によって、面外方向の移動が規制される。
係合部３３１Ｂは、案内面３３１Ｃと、ガイド突起３３１Ｄとを有する。
ガイド突起３３１Ｄは、外枠３５の板状部３５４に形成されたガイド溝３５０に案内されるものである。
【００３０】
図７から図９に示される通り、ガイド溝３５０は、外れ止め用係止片部３５２を外れ止めセット位置に案内するための第一案内部３５０Ａと、外れ止め解除位置に案内するための第二案内部３５０Ｂと、これらの第一案内部３５０Ａと第二案内部３５０Ｂとを繋ぐための傾斜部３５０Ｃとを有するものである。傾斜部３５０Ｃと平行な傾斜面３５４Ａが板状部３５４に形成され、この傾斜面３５４Ａに係合部３３１Ｂの案内面３３１Ｃが案内される。
そのため、図８に示される通り、操作部３３１が端板部３１２に最も近接した位置にあると、第一案内部３５０Ａにガイド突起３３１Ｄが案内されている状態となり、外れ止め用係止片部３５２は前進して外れ止めセット位置にある。図９に示される通り、操作部３３１が端板部３１２から後退して最も離反した位置にあると、第二案内部３５０Ｂにガイド突起３３１Ｄが案内されている状態となり、外れ止め用係止片部３５２は後退して外れ止め解除位置にある。
【００３１】
［表示部］
図４から図６に戻り、表示部３３３は、網戸用下框２１２に形成された平面矩形状の表示窓２１２Ａから視認可能とされている。この表示窓２１２Ａは、操作部３３１の進退方向に沿って形成されており、網戸用縦框２１３に一部が覆われる。
表示部３３３は、平面矩形状の板状部材であり、その平面には赤色、そのほかの目立つ色で彩色され、あるいは、「解除位置」、「注意」などの注意を喚起する文字や記号が記載されている。
操作部３３１が端板部３１２に最も近接し外れ止め用係止片部３５２が外れ止めセット位置にあると、表示部３３３が網戸用縦框２１３に隠されることになって外部から視認することができないが（図５参照）、操作部３３１が端板部３１２に最も離反し外れ止め用係止片部３５２が外れ止め解除位置にあると、表示部３３３が網戸用縦框２１３に隠されることなく表示窓２１２Ａを通じて外部から視認可能となる（図６参照）。
第一実施形態では、表示部３３３と表示窓２１２Ａとを備えて外れ止め用係止片部が前記外れ止め解除位置にあることを視認する視認部４０が構成されている。
【００３２】
［実施形態の作用］
以上の構成の引違い窓１０において、網戸２０を枠体１４に装着するには、まず、操作部３３１を操作して外れ止め用係止片部３５２を外れ止め解除位置まで後退させておく。
そして、図１０に示される通り、凸部３４が突起１２Ｃを超えるまでレール部１２Ｂを挿通口３１Ａを通じて開口部３１Ｂに挿入し、網戸２０を枠体１４に対して正しい位置にセットする。ここで、外れ止め用係止片部３５２が後退しているため、開口部３１Ｂには広いスペースが形成される。
【００３３】
その後、図１１に示される通り、操作部３３１を操作して外れ止め用係止片部３５２を外れ止めセット位置まで前進させる。すると、外れ止め用係止片部３５２の対向面３５２Ｄが凸部３４の室外側面と対向し、対向面３５２Ｄと凸部３４とでレール部１２Ｂの見付け面を挟み込むことになる。この状態では、凸部３４より切欠き３１０の奥側にレール部１２Ｂの突起１２Ｃが位置するので、凸部３４と突起１２Ｃとが係合されることになる。
さらに、外れ止め用係止片部３５２とともに戸車３７も前進するので、戸車３７がレール部１２Ｂの上に載置する位置まで移動される。これにより、網戸２０がレール部１２Ｂの上で摺動自在となる。
なお、網戸２０のレール部１２Ｂへの外れ止めセットがされたか否かを確認するには、視認部４０を通じて行う。表示部３３３が表示窓２１２Ａを通じて外部から視認できれば、外れ止めのセットがされないことになる。仮に、外れ止めのセットがされていない状態で、網戸２０をレール部１２Ｂで開閉すると、戸車３７がレール部１２Ｂから離れており、切欠き３１０にレール部１２Ｂが当たり、摩擦力が生じるため、網戸２０の摺動が重く感じる。
【００３４】
［実施形態の効果］
（１）外れ止め用係止片部３５２の外れ止め解除位置において、傾斜面３５２Ｃと凸部３４とで形成された挿通口３１Ａを通じて、開口部３１Ｂにレール部１２Ｂを挿入可能とし、外れ止め用係止片部３５２の外れ止めセット位置において、挿通口３１Ａを通じて開口部３１Ｂにレール部１２Ｂを挿入したまま、凸部３４と対向面３５２Ｄとでレール部１２Ｂを挟み、かつ、凸部３４と対向面３５２Ｄとの離間幅寸法Ｃを突起１２Ｃの見込み幅寸法を含めたレール部の見込み幅寸法Ｂより短くして外れ止め機構３０を構成したので、網戸２０を枠体１４に装着する際に、レール部１２Ｂの挿入スペースが確保されることから、レール部１２Ｂの開口部３１Ｂへの挿入が容易となり、網戸２０をレール部１２Ｂに装着した状態では、レール部１２Ｂを外れ止め用係止片部３５２の対向面３５２Ｄと凸部３４とで挟み込むから、強風などで、網戸に力がはたらいても、網戸２０がレール部１２Ｂから外れることがない。
【００３５】
（２）外れ止め用係止片部３５２の傾斜面３５２Ｃは、外れ止め用係止片部３５２の後退方向に向かうに従って見込み方向の一方側の幅寸法が大きくなるよう傾斜されているから、網戸２０をレール部１２Ｂにセットする際に、レール部１２Ｂが外れ止め用係止片部３５２に対して干渉しにくくなり、網戸２０の枠体１４への装着作業を容易に行える。
【００３６】
（３）網戸２０は、外れ止め用係止片部３５２が外れ止め解除位置にあることを視認する視認部４０を備えているので、網戸２０のレール部１２Ｂへ設置する際に、外れ止め機構を操作する作業の失念を防止できる。
【００３７】
（４）視認部４０は、操作部３３１に設けられた表示部３３３と、網戸用框２１に形成された表示窓２１２Ａとを備えているので、操作部３３１の進退操作に伴って、表示窓２１２Ａを通じて表示部３３３の視認の可否を容易に行うことができる。
【００３８】
（５）外れ止め用係止片部３５２には取付部３５１が設けられ、この取付部３５１にはレール部１２Ｂに案内される戸車３７が回転自在に設けられているから、取付部３５１が後退して外れ止め用係止片部３５２が外れ止め解除位置にある際に、戸車３７がレール部１２Ｂから離反する。そのため、この状態で、網戸２０をレール部１２Ｂに対して摺動させても、戸車３７がレール部１２Ｂに載置されていないために作用しないので、網戸２０が重く感じ、外れ止め機構を操作する作業を忘れていることを防止できる。
【００３９】
（６）Ｕ字状の切欠き３１０の一方の開口端Ｐに凸部３４が形成された端板部３１２を有するケース３１と、このケース３１の内部でレール部１２Ｂに設けられ外れ止めセット位置と外れ止め解除位置との間で進退可能とされる外れ止め用係止片部３５２を有する戸車機構３２と、この戸車機構３２を進退操作する操作部３３１とを備えて戸車装置を構成したから、前述の構成の外れ止め機構３０が戸車装置に組み込まれることになるので、戸車装置を網戸用下框２１２に設置することで、前述の効果を奏することができる。
【００４０】
（７）操作部３３１のガイド突起３３１Ｄと、このガイド突起３３１Ｄに案内され外枠３５に形成されたガイド溝３５０とを備え、ガイド溝３５０は、外れ止め用係止片部３５２を外れ止めセット位置に案内するための第一案内部３５０Ａと、外れ止め解除位置に案内するための第二案内部３５０Ｂと、これらの第一案内部３５０Ａと第二案内部３５０Ｂとを繋ぐための傾斜部３５０Ｃとを有するものとしたので、ガイド突起３３１Ｄとガイド溝３５０という簡易な構造によって、操作部３３１によって外れ止め用係止片部３５２を容易に進退させることができる。
【００４１】
（８）傾斜部３５０Ｃと平行な傾斜面３５４Ａが外枠３５の板状部３５４に形成され、この傾斜面３５４Ａに案内される案内面３３１Ｃが操作部３３１の係合部３３１Ｂに形成されるので、操作部３３１で外れ止め用係止片部３５２を進退操作するにあたり、操作部３３１から外枠３５にかかる力をガイド突起３３１Ｄおよびガイド溝３５０の他に、傾斜面３５４Ａおよび案内面３３１Ｃに分散させることができるので、ガイド突起３３１Ｄの半損を防止し、外れ止め用係止片部３５２の進退操作を円滑に行うことができる。
【００４２】
［第二実施形態］
次に、本発明の第二実施形態を説明する。第二実施形態は外れ止め機構の構成が第一実施形態と異なるもので、枠体１４、障子および網戸２０の基本構成は第一実施形態と同じである。
図１２から図１４において、第二実施形態の外れ止め機構５０は、レール部１２Ｂの突起１２Ｃと、網戸用下框２１２の一対の板部２１２０のうち室内側に位置する板部２１２０に設けられた凸部取付部材５１と、外れ止め用係止片部３５２を有し網戸用下框２１２に進退可能に設けられたブロック５２と、このブロック５２の外れ止め用係止片部３５２を、外れ止めセット位置および外れ止め解除位置へと進退操作する操作部５３とを備えている。
【００４３】
凸部取付部材５１は、２枚の板状部材５１１，５１２の中央部が連結部５１３を介して互いに連結され、この連結部５１３が網戸用下框２１２の板部２１２０の下端から上方の所定位置にかけて形成された矩形状の切欠５１０に案内されるとともに、２枚の板状部材５１１，５１２が板部２１２０に嵌合される。
２枚の板状部材５１１，５１２のうち網戸用下框２１２の内部に位置する板状部材５１１の下端部には凸部３４が見込み方向の他方側（室外側）に突出して設けられている。網戸用下框２１２の外部に位置する板状部材５１２には、係合突起５１４が２箇所設けられている。これらの係合突起５１４は、板部２１２０に形成された係合窓５１５に嵌合され凸部取付部材５１の網戸用下框２１２からの抜け止めがされる。
【００４４】
ブロック５２は、板状の基部５２１と、この基部５２１に一体形成された外れ止め用係止片部３５２とを有する。
操作部５３は、平面矩形状の板状部材５３Ａと、この板状部材５３Ａの一面に設けられた突起状の係合部５３Ｂとを有する。この係合部５３Ｂは、板部２１２０に形成されたガイド溝５４に案内されるものであって、その先端部は基部５２１に形成された嵌合凹部５２Ａに嵌合される。
ガイド溝５４は、外れ止め用係止片部３５２を外れ止めセット位置に案内するための第一案内部５４Ａと、外れ止め解除位置に案内するための第二案内部５４Ｂと、これらの第一案内部５４Ａと第二案内部５４Ｂとを繋ぐ直線部５４Ｃとを有するものである。
【００４５】
図１４において、第二実施形態では、外れ止め用係止片部３５２の傾斜面３５２Ｃは、凸部３４と対向する第１辺を形成するものであり、外れ止め用係止片部３５２が外れ止め解除位置（実線参照）にある場合において、第１辺である傾斜面３５２Ｃと凸部３４とで挿通口３１Ａが形成され、傾斜面３５２Ｃ、凸部３４および網戸用下框２１２の下端縁から上方に向かう空間を備えて開口部３１Ｂが形成される。さらに、第一実施形態と同様に、外れ止め用係止片部３５２の対向面３５２Ｄは、外れ止め用係止片部３５２の外れ止めセット位置（想像線参照）において、凸部３４と対向する第２辺を形成するものであり、この第２辺と凸部３４とでレール部１２Ｂを挟む。
網戸用下框２１２の所定位置にレール部１２Ｂに案内される戸車（図示せず）が設けられている。
【００４６】
したがって、第二実施形態では、第一実施形態の（１）〜（３）と同様の効果を奏することができる他、次の効果を奏することができる。
（９）網戸用下框２１２の室内側に位置する板部２１２０に凸部取付部材５１が設けられ、この凸部取付部材５１の下端部に凸部３４が設けられているので、既存の網戸用下框２１２に凸部３４を容易に設けることができる。
【００４７】
（１０）凸部取付部材５１は、２枚の板状部材５１１，５１２の中央部が連結部５１３を介して互いに連結され、網戸用下框２１２に形成された切欠５１０に連結部５１３が案内されるとともに、２枚の板状部材５１１，５１２が板部２１２０に嵌合される構成であるため、凸部取付部材５１の網戸用下框２１２への装着を容易に行うことができる。
【００４８】
（１１）２枚の板状部材５１１，５１２のうち一方には係合突起５１４が設けられ、この係合突起５１４は網戸用下框２１２に形成された係合窓５１５に嵌合されているので、凸部３４が網戸用下框２１２から外れることを防止できる。
【００４９】
（１２）ガイド溝５４を網戸用下框２１２に直接形成するので、外れ止め機構５０の構造が簡易となる。
【００５０】
［第三実施形態］
次に、本発明の第三実施形態を説明する。第三実施形態は外れ止め機構の構成が第二実施形態と異なるもので、他の構成は第二実施形態と同じである。
図１５から図１７において、第三実施形態の外れ止め機構６０は、レール部１２Ｂの突起１２Ｃと、凸部取付部材５１と、外れ止め用係止片部６２２を有し網戸用下框２１２に回動自在に設けられたブロック６２と、このブロック６２を回動させて、レール部１２Ｂに向けて近接離隔させて、外れ止め用係止片部６２２を、外れ止めセット位置および外れ止め解除位置へと操作する操作部６３とを備えている。
【００５１】
ブロック６２は、板状の基部６２１と、この基部６２１に一体形成された外れ止め用係止片部６２２とを有する。
操作部６３は、平面矩形状の板状部材６３Ａと、この板状部材６３Ａの一面に設けられた円柱状の係合部６３Ｂとを有する。この係合部６３Ｂは、板部２１２０に形成された挿通孔６４に案内されるものであって、その先端部は基部６２１に形成された嵌合凹部６２Ａに嵌合される。
第三実施形態では、操作部６３は係合部６３Ｂを中心に回動させることで、外れ止め用係止片部６２２の先端側をレール部１２Ｂに対して近接離隔させる。
【００５２】
図１７において、第三実施形態では、室外側に配置された板部２１２０の内側面２１Ａは、凸部３４と対向する第１辺を形成する。外れ止め用係止片部６２２が外れ止め解除位置（実線参照）にある場合において、第１辺である内側面２１Ａと凸部３４とで挿通口３１Ａが形成され、内側面２１Ａ、凸部３４および網戸用下框２１２の下端縁から上方に向かう空間を備えて開口部３１Ｂが形成される。さらに、外れ止め用係止片部６２２の対向面３５２Ｄは、外れ止め用係止片部６２２の外れ止めセット位置（想像線参照）において、凸部３４と対向する第２辺を形成するものであり、この第２辺の対向面３５２Ｄと凸部３４とでレール部１２Ｂの突起１２Ｃより下方部分の見付け面を挟む。
外れ止め用係止片部６２２が外れ止め解除位置にある場合に、凸部３４の室外側端部と板部２１２０の内側面２１Ａとの見込み方向寸法をＡとし、突起１２Ｃの見込み幅の寸法をＢとし、外れ止め用係止片部６２２が外れ止めセット位置にある場合に、外れ止め用係止片部６２２の対向面３５２Ｄと凸部３４の室外側端部との離間幅寸法をＣとすると、Ａ＞Ｂ、かつ、Ｂ＞Ｃの関係がある。
【００５３】
したがって、第三実施形態では、第一実施形態の（１）〜（３）と第二実施形態の（１０）〜（１３）と同様の効果を奏することができる他、次の効果を奏することができる。
（１４）操作部６３は、外れ止め用係止片部６２２が一体形成された基部６２１の嵌合凹部６２Ａに嵌合される係合部６３Ｂを有し、この係合部６３Ｂを中心に回動させることで、外れ止め用係止片部６２２の先端側をレール部１２Ｂに対して近接離隔させることを簡易に行える。
【００５４】
［変形例］
なお、本発明は、前記各実施形態に限定されるものではなく、本発明の目的を達成できる他の構成等を含み、以下に示すような変形等も本発明に含まれる。
例えば、前記各実施形態では、網戸２０に戸車が設けられた構成であるが、本発明の網戸では、必ずしも戸車を設けることを要しない。つまり、本発明では、障子をレール部に対して摺動させる場合、例えば、戸車を転動させてレール部に障子を案内する場合や、戸車を用いないで、網戸をレール部に滑らせて案内する場合に適用することができる。
さらに、外れ止め機構３０，５０，６０を網戸用下框２１２に設けたが、他の場所、例えば、網戸用上框２１１に設けるものであってもよく、本発明は、要するに、外れ止め機構３０，５０，６０を障子２０のいずれかに設けるものに適用できる。
【００５５】
また、レール部１２Ｂは水平に伸びて配置され、このレール部１２Ｂに案内されて網戸２０が水平方向に摺動自在とされたが、本発明では、レール部を鉛直に沿って設け、網戸が上下方向に摺動自在とされた建具に適用できる。
さらに、前記実施形態では、切欠き３１０の一方の開口端Ｐに設けられた凸部３４を他方の開口端Ｑよりも低い位置としたが、本発明では、凸部３４と他方の開口端Ｑとを同じ高さ位置としてもよく、あるいは、凸部３４を他方の開口端Ｑより高い位置としてもよい。つまり、凸部と対向する第１辺は、凸部とレール部を挟んで向かい合う位置であればよいので、必ずしも、第１辺の端部が、凸部と同一水平面に位置しなくてもよい。
また、前記各実施形態では、突起はレール部１２Ｂの先端に設けられていたが、見込み方向の一方側（室内側）に突出していれば、レール部１２Ｂの見付け面における上方に設けられていればよい。
【符号の説明】
【００５６】
１０…引違い窓（建具）、１２Ｂ…レール部、１２Ｃ…突起、１４…枠体、２０…網戸、２１…網戸用框、２１Ａ…内側面（第１辺）、３０，５０，６０…外れ止め機構、３１…ケース、３１Ａ…挿通口、３１Ｂ…開口部、３２…戸車機構、３３…ガイド、３４…凸部、３７…戸車、４０…視認部、６３…操作部、２１２…網戸用下框、２１２Ａ…表示窓、３３１…操作部、３３３…表示部、３５２，６２２…外れ止め用係止片部、３５２Ｃ…傾斜面（第１辺）、３５２Ｄ…対向面（第２辺）
【図１】
2014177753.tif 000003
【図２】
2014177753.tif 000004
【図３】
2014177753.tif 000005
【図４】
2014177753.tif 000006
【図５】
2014177753.tif 000007
【図６】
2014177753.tif 000008
【図７】
2014177753.tif 000009
【図８】
2014177753.tif 000010
【図９】
2014177753.tif 000011
【図１０】
2014177753.tif 000012
【図１１】
2014177753.tif 000013
【図１２】
2014177753.tif 000014
【図１３】
2014177753.tif 000015
【図１４】
2014177753.tif 000016
【図１５】
2014177753.tif 000017
【図１６】
2014177753.tif 000018
【図１７】
2014177753.tif 000019